(57)【要約】      （修正有）【課題】泥水の飛散を効果的に防止できる治具を提供する。【解決手段】泥水飛散防止用治具１００は，全周回転掘削機３００によって上下に進退駆動されるケーシング２００の上端部に取り付けられる取付部１１０と，この取付部１１０の上方に延在する断面円弧状の側壁部１２０を備える。泥水が充満したケーシング２００内にコンクリート粉砕物などが落下した場合であっても，泥水飛散防止用治具１００をケーシング２００の上端部に取り付けておくことにより，地上に噴出した泥水が飛散することを防止できる。【選択図】図１
2019214861.tif 000002
【特許請求の範囲】
【請求項１】
全周回転掘削機（３００）によって上下に進退駆動されるケーシング（２００）の上端部に取り付けられる取付部（１１０）と，
前記取付部（１１０）の上方に延在する断面円弧状の側壁部（１２０）とを備える
泥水飛散防止用治具。
【請求項２】
前記取付部（１１０）は，前記ケーシング（２００）と同一の内径及び外径の両方又はいずれか一方を有する円筒状に形成されている
請求項１に記載の泥水飛散防止用治具。
【請求項３】
前記泥水飛散防止用治具の上端部に取り付けられ，前記側壁部（１２０）の断面形状に対応する扇形の泥避ガード（１３０）をさらに備える
請求項１又は請求項２に記載の泥水飛散防止用治具。
【請求項４】
前記泥避ガード（１３０）は，その中心角頂点からその円周方向に向かって放射状に切込みが形成された菊割れ蓋部（１３１）を有する
請求項３に記載の泥水飛散防止用治具。
【請求項５】
前記取付部（１１０）と前記側壁部（１２０）の境界部分に取り付けられ，少なくとも前記取付部（１１０）のうちの前記側壁部（１２０）から突出した部分を覆うための開閉自在の第２の泥避ガード（１４０）をさらに備える
請求項１から請求項４のいずれかに記載の泥水飛散防止用治具。
【請求項６】
請求項１から請求項４のいずれかに記載の泥水飛散防止用治具（１００）と，
前記泥水飛散防止用治具（１００）が取り付けられるケーシング（２００）と，
前記ケーシング（２００）を上下に進退駆動させる全周回転掘削機（３００）と，
前記泥水飛散防止用治具（１００）及び前記ケーシング（２００）内を通過するグラブハンマ（４００）とを備える
掘削システム。
【発明の詳細な説明】
【技術分野】
【０００１】
本発明は，泥水飛散防止用治具及びそれを用いた掘削システムに関する。
【背景技術】
【０００２】
従来から，全周回転掘削機によって掘削用のケーシングを地中に貫入する掘削システム知られている。このような掘削システムは，例えば地中に埋設されている円柱状のコンクリート杭を撤去する工事や，新築工事，硬質地盤の掘削工事などで幅広く利用されている。
【先行技術文献】
【特許文献】
【０００３】
【特許文献１】特開２０１２−１０２５５９号公報
【発明の概要】
【発明が解決しようとする課題】
【０００４】
ところで，上記掘削システムを用いて地中に埋設されている円柱状の既設のコンクリート杭を撤去する際には，一般的に，そのコンクリート杭を囲うように全周回転掘削機によってケーシングを地中に貫入してコンクリート杭の周囲の地盤を保護した上で，クレーンに吊持したチゼル（重鎮）をケーシングの内側に投下させてコンクリート杭を上端部側から破砕し，その粉砕物をグラブハンマによって地上へ引き上げる操作を繰り返し行う。
【０００５】
しかしながら，コンクリートの粉砕物をグラブハンマによって引き上げる際に，その粉砕物が揺れたりケーシング内壁に接触することによりグラブハンマから外れて，粉砕物が再びケーシング内に落下する場合がある。ケーシング内には泥水が充満していることが多く，粉砕物がケーシング内に落下すると，その衝撃でケーシング内の泥水が地上に飛散する事態が想定される。このような事態に備えて，地上に配備された全周回転掘削機及びケーシング全体をビニールシートなどで覆うといった養生作業を行う必要があるが，この作業には手間がかかり，工事の作業効率が低下するという問題があった。
【０００６】
そこで，本発明は，ケーシング内の泥水が飛散するのを効果的に防止できる治具を提供することを主たる目的とする。
【課題を解決するための手段】
【０００７】
本発明の発明者は，上記課題の解決手段について鋭意検討した結果，掘削用のケーシングの上端部に断面円弧状の側壁部を有する泥水飛散防止用治具を取り付けることで，ケーシング内の泥水の飛散を効果的に防止できるようになるという知見を得た。そして，本発明者は，上記知見に基づけば従来技術の課題を解決できることに想到し，本発明を完成させた。具体的に説明すると，本発明は以下の構成を有する。
【０００８】
本発明の第１の側面は，泥水飛散防止用治具１００に関する。本発明に係る泥水飛散防止用治具１００は，全周回転掘削機３００によって上下に進退駆動されるケーシング２００の上端部に取り付けられる取付部１１０と，この取付部１１０の上方に延在する断面円弧状の側壁部１２０とを備える。このように，ケーシング２００の上端部に泥水飛散防止用治具１００を取り付けることで，ケーシング２００の内部から泥水が噴出した場合であっても，通行人などの場外第三者に泥水が掛かることを防止できる。また，グラブハンマ４００はクローラークレーンで吊り下げてケーシング２００内に降ろされるが，その際にグラブハンマ４００が揺れ動いて近接物（隣地構造物など）に接触する恐れがある。この点，本発明によれば，泥水飛散防止用治具１００を利用してグラブハンマ４００と近接物の接触を防止できるため，より安全に工事を行うことができる。また，泥水飛散防止用治具１００をグラブハンマ４００のガイドとしても利用できるため，現場での作業効率が改善される。
【０００９】
本発明に係る泥水飛散防止用治具において，取付部１１０はケーシング２００と同一の内径及び外径の両方又はいずれか一方を有する円筒状に形成されていることが好ましい。特に，取付部１１０の内径及び外径の両方がケーシング２００と一致していることが好ましい。これにより，取付部１１０をケーシング２００に強固に固定することができ，また泥水飛散防止用治具１００とケーシング２００の内部をグラブハンマ４００がスムーズに通過できるようになる。
【００１０】
本発明に係る泥水飛散防止用治具は，第１の泥避ガード１３０（上蓋）をさらに備えることが好ましい。泥避ガード１３０は，泥水飛散防止用治具１００の上端部に取り付けられ，側壁部１２０の断面形状に対応する扇形に形成されたものである。このように，上蓋用の泥避ガード１３０を泥水飛散防止用治具１００の上端に取り付けておくことで，この上端部から泥水が飛散することを防止できるため，泥水の飛散範囲を小さく留めることが可能となる。
【００１１】
本発明に係る泥水飛散防止用治具において，第１の泥避ガード１３０は，その中心角頂点からその円周方向に向かって放射状に切込みが形成された菊割れ蓋部１３１を有することが好ましい。この菊割れ蓋部１３１は，例えばゴムなどの可撓性材料で形成されていると良い。このように泥避ガード１３０に菊割れ蓋部１３１を設けることで，泥水飛散防止用治具１００の上端部から泥水が飛散することを防止しつつ，グラブハンマ４００が泥避ガード１３０に接触しても両者に損壊が発生する可能性を低くすることができる。
【００１２】
本発明に係る泥水飛散防止用治具は，第２の泥避ガード１４０（底蓋）をさらに備えることが好ましい。第２の泥避ガード１４０は，取付部１１０と側壁部１２０の境界部分に取り付けられており，少なくとも取付部１１０のうちの側壁部１２０から突出した部分を覆うことができ，さらに開閉自在に構成されている。底蓋用の泥避ガード１４０を取付部１１０と側壁部１２０の境界部分に取り付けておくことで，この境界部分から泥水が飛散することを防止できるため，泥水の飛散範囲を小さく留めることが可能となる。
【００１３】
本発明の第２の側面は，掘削システムに関する。本発明に係る掘削システムは，上記した第１の側面に係る泥水飛散防止用治具１００と，この泥水飛散防止用治具１００が取り付けられるケーシング２００と，このケーシング２００を上下に進退駆動させる全周回転掘削機３００と，泥水飛散防止用治具１００及びケーシング２００内を通過するグラブハンマ４００とを備える。
【発明の効果】
【００１４】
本発明によれば，ケーシング内に泥水の飛散を効果的に防止することのできる治具を提供することができる。
【図面の簡単な説明】
【００１５】
【図１】図１は，掘削システムの正面図及び側面図を示している。
【図２】図２は，掘削システムの使用例を示したフロー図である。
【図３】図３は，掘削システムの使用例を示したフロー図である。
【図４】図４は，掘削システムの使用例を示したフロー図である。
【図５】図５は，泥水飛散防止用治具の例を示した斜視図である。
【図６】図６は，掘削システムの別例の側面図を示している。
【発明を実施するための形態】
【００１６】
以下，図面を用いて本発明を実施するための形態について説明する。本発明は，以下に説明する形態に限定されるものではなく，以下の形態から当業者が自明な範囲で適宜変更したものも含む。
【００１７】
図１は，泥水飛散防止用治具１００，掘削用のケーシング２００，全周回転掘削機３００，及びグラブハンマ４００を備える掘削システムを示した正面図と側面図である。また，図１では，Ｉ−Ｉ線における泥水飛散防止用治具１００の断面形状を示している。図２〜４は，この掘削システムを利用した工事フローを示している，また，図５では，泥水飛散防止用治具１００の構造を模式的に示している。
【００１８】
本発明において，ケーシング２００，全周回転掘削機３００，及びグラブハンマ４００としては公知のものを適宜用いることができる。つまり，本発明は，泥水飛散防止用治具１００の構造に特徴を有するものである。
【００１９】
各図に示されるように，泥水飛散防止用治具１００は，ケーシング２００の上端部に取り付けて使用される。泥水飛散防止用治具１００のサイズは，ケーシング２００のサイズに併せて適宜調節すればよいが，例えばその高さは３〜４０ｍ，５〜３０ｍ，又は８〜２０ｍとし，その直径は０．５〜１０ｍ，１〜８ｍ，又は１．５〜５ｍとすることが好ましい。また，泥水飛散防止用治具１００を構成する取材料も特に限定されず，銅，アルミ，スチールなどの金属材料や，これら金属材料と炭素材料を混合したものであってもよい。
【００２０】
泥水飛散防止用治具１００は，ケーシング２００の上端部に取り付け可能な取付部１１０と，この取付部１１０の上方に延在する側壁部１２０とを備える。側壁部１２０は，例えば図１に示すように，断面円弧状に形成されている。側壁部１２０をなす円弧の中心角は，９０度〜２７０度であることが好ましく，１６０度〜２００度，特に１８０度であることが好ましい。また，取付部１１０は，ケーシング２００と内径及び／又は外径が等しい円筒状に形成されている。取付部１１０は，例えばケーシング２００に対してボルト接合にて取り外し可能に接合されていることが好ましい。例えば，泥水飛散防止用治具１００の取付部１１０とケーシング２００の上端のそれぞれにフランジを設けておき，これらの両フランジを突き合わせた状態でボルト接合することとしてもよい。泥水飛散防止用治具１００は，これらの円筒状の取付部１１０と断面円弧状の側壁部１２０とが一体的に成型されたものである。
【００２１】
また，泥水飛散防止用治具１００の側壁部１２０の上端には，その上部開口を塞ぐために，上蓋用の泥避ガード１３０を設けておくことが好ましい。上蓋用の泥避ガード１３０は，側壁部１２０の断面円弧状に対応する扇形に形成されている。なお，「扇形」とは，円の２本の半径とその間にある円弧によって囲まれた平面図形を意味する。例えば，側壁部１２０の円弧状の中心角が１８０度である場合には，泥避ガード１３０は，中心角を１８０度とする扇形に形成される。また，泥避ガード１３０の中心角周りには部分的に菊割れ蓋部１３１を設けておくとよい。菊割れ蓋部１３１は，例えばゴムなどの可撓性材料によって形成された部位である。菊割れ蓋部１３１を形成する可撓性材料は，その中心角頂点からその円周方向に向かって放射状に切込みが形成されている。このため，菊割れ蓋部１３１は泥水の飛散を防ぎつつ，そこを例えばグラブハンマ４００の一部などが通過できるようになっている。
【００２２】
続いて，図２〜５を参照して，泥水飛散防止用治具１００を備える掘削システムの利用方法について説明する。まず，掘削用のケーシング２００の上端に泥水飛散防止用治具１００を取り付けた状態で，このケーシング２００を全周回転掘削機３００によって地中へと回転させながら貫入させる。その後，グラブハンマ４００をクローラークレーンで吊り下げながら搬送し，泥水飛散防止用治具１００をガイドとして利用しつつ，グラブハンマ４００をケーシング２００内に降下させる。そして，グラブハンマ４００によってケーシング２００によって囲われた切削障害（例えばコンクリート粉砕物など）を把持し，そのまま地上へと吊り上げる。
【００２３】
ただし，グラブハンマ４００によって切削障害を吊り上げる際に，その切削障害がグラブハンマ４００から外れて，再びケーシング２００内に落下する場合がある。ケーシング２００内には泥水が充満しているため，大質量の切削障害が落下すると，ケーシング２００内部から泥水が地上へと噴出するおそれがある。このとき，前述したように，ケーシング２００の上端に泥水飛散防止用治具１００を備え付けられておくことにより，この治具１００の側壁部１２０が設けられた方へは泥水が飛散することを防止できる。例えば，泥水飛散防止用治具１００の側壁部１２０は，通行人などの場外第三者が存在する方向に向けた状態で，ケーシング２００上端部に取り付けることが有効である。
【００２４】
図６は，掘削システムの別例を示している。図６に示した例では，上記構成に加えて，泥水飛散防止用治具１００に，底蓋用の泥避ガード１４０（第２の泥避ガード）が取り付けられている。底蓋用の泥避ガード１４０は，泥水飛散防止用治具１００のうち，取付部１１０と側壁部１２０の境界部分に取り付けられおり，側壁部１２０から突出した取付部１１０の開口部分を覆うことができる形状となっている。具体的には，底蓋用の泥避ガード１４０は，取付部１１０のうちの側壁部１２０から突出した部分の断面円弧状に対応する扇形に形成されている。例えば，底蓋用の泥避ガード１４０は，上蓋用の泥避ガード１３０と同様に，中心角を１８０度とする扇形に形成される。また，底蓋用の泥避ガード１４０にも，上蓋用の泥避ガード１３０と同様に，その中心角周りに菊割れ蓋部１４１を設けておくとよい。さらに，底蓋用の泥避ガード１４０には，取手１４２と蝶番１４３とが設けられており，この蝶番１４３を回動支点として自由に開閉することができるようになっている。例えば，図６に示すように，グラブハンマ４００が通過する際には底蓋用の泥避ガード１４０を開いた状態としておき，このグラブハンマ４００がケーシング２００の内部に降下された後に，この底蓋用の泥避ガード１４０を閉じるようにすればよい。これにより，底蓋用の泥避ガード１４０では，取付部１１０のうちの側壁部１２０から突出した部分から，ケーシング２００内の泥水が噴出することを防止できる。
【００２５】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００２６】
本発明は，泥水飛散防止用治具及びそれを用いた掘削システムに関する。従って，本発明は，土木産業において好適に利用し得る。
【符号の説明】
【００２７】
１００…汚泥飛散防止用治具
１１０…取付部
１２０…側壁部
１３０…泥避ガード（上蓋）
１４０…泥避ガード（底蓋）
２００…ケーシング
３００…全周回転掘削機
４００…グラブハンマ
【図１】
2019214861.tif 000003
【図２】
2019214861.tif 000004
【図３】
2019214861.tif 000005
【図４】
2019214861.tif 000006
【図５】
2019214861.tif 000007
【図６】
2019214861.tif 000008